(57)【要約】【課題】複数の機器からの録画済番組に関する情報を収集し、重複を排除しながら統合することにより、複数の機器による録画済番組に関する過去番組を見やすくする。【解決手段】  実施形態によれば、デジタル放送受信装置は、デジタル放送から複数のチャンネルの番組を同時に選局する受信部と、前記受信部によって選局された番組を記録媒体に記録すると共に再生する記録再生部と、前記記録再生部によって記録された記録済番組に関する第１の情報と、他機からネットワーク回線を介して転送された他機の記録済番組に関する第２の情報とが与えられ、前記第１及び第２の情報中の重複した情報を削除又は優先順位を付けて統合し、この統合結果に基づいて、自機及び前記他機において記録済の番組に関する統合過去番組表を生成して表示する番組統合部とを具備する。【選択図】図１
2015126403.tif 000002
【特許請求の範囲】
【請求項１】
デジタル放送から複数のチャンネルの番組を同時に選局する受信部と、
前記受信部によって選局された番組を記録媒体に記録すると共に再生する記録再生部と、
前記記録再生部によって記録された記録済番組に関する第１の情報と、他機からネットワーク回線を介して転送された他機の記録済番組に関する第２の情報とが与えられ、前記第１及び第２の情報中の重複した情報を削除又は優先順位を付けて統合し、この統合結果に基づいて、自機及び前記他機において記録済の番組に関する統合過去番組表を生成して表示する番組統合部と
を具備するデジタル放送受信装置。
【請求項２】
前記第１の情報として、前記記録再生部によって記録された番組に関する第１の番組データベースを作成する番組データベース処理部を具備し、
前記番組統合部は、前記番組データベース処理部の機能を有する前記他機から前記ネットワーク回線を介して前記第２の情報としての第２の番組データベースが与えられると共に、前記番組データベース処理部から前記第１の番組データベースが与えられ、前記第１及び第２の番組データベース中の重複した情報を削除又は優先順位を付けて統合して、前記統合結果としての統合番組データベースを生成すると共に、この生成した統合番組データベースに基づいて、自機及び前記他機において記録済の番組に関する前記統合過去番組表を生成して表示する
請求項１に記載のデジタル放送受信装置。
【請求項３】
番組統合部は、統合条件に従って、前記第１及び第２の情報中の重複した情報を削除又は優先順位を付ける
請求項１又は２に記載のデジタル放送受信装置。
【請求項４】
番組統合部は、前記統合過去番組表に対するユーザ操作によって再生する番組が指定されると、前記統合結果に基づいて番組を読出す機器を指定する
請求項１乃至３のいずれか１つに記載のデジタル放送受信装置。
【発明の詳細な説明】
【技術分野】
【０００１】
本発明の実施形態は、過去番組表を表示可能なデジタル放送受信装置に関する。
【背景技術】
【０００２】
従来、地上デジタル放送、ＢＳ／ＣＳデジタル放送が運用され、多くの番組が高画質、高音質で視聴できる環境が整っている。デジタル放送は、電子番組表（ＥＰＧ（Electronic Program Guide））の仕組みが備えられており、受信機のリモコンのボタンを押すだけで、当日あるいは１週間先までの番組表が表示され、放送時間や出演者など、番組内容の表示や知りたい情報の検索し、視聴する番組の指定が可能である。
【０００３】
ところで、近年、複数チャンネルの番組を同時録画する同時録画機能を搭載したデジタルテレビジョンが普及してきている。このような同時録画機能を搭載した従来のデジタル放送受信装置においては、放送番組の番組表（未来番組表）と同様の表示方法によって、録画した過去の番組を表示する過去番組表を生成する機能を有しているものもある。この過去番組表を表示させて、過去番組表中の任意の番組を選択する操作によって、記録された番組を再生して視聴することも可能である。
【０００４】
また、近年、デジタル家電機器の普及に伴い、一般家庭におけるホームネットワークが普及しており、デジタル放送受信装置においても、ネットワークに接続された他の受信装置やレコーダ等に対してアクセス可能になっている。即ち、ネットワークによって同時録画機能を搭載した複数の機器が接続可能に構成されており、機器間で各機器の管理情報（各機器が同時録画する記録媒体の記録容量）や設定情報（同時録画するチャンネルや録画時間）を共有し合うことで、各機器が搭載する複数の同時録画機能を１つの同時録画機能として、機器間で連携して設定情報の設定を行う技術が開発されている。
【０００５】
また、この種のデジタル放送受信装置においては、ネットワークに接続された各機器において記録された番組に関する情報を収集して、１台の機器において、収集した情報に基づいて記録済の番組に関する情報を表示する過去番組表を生成することもできるようになっている。
【０００６】
しかしながら、ネットワーク上においては、機器間の連携によって設定情報が設定された機器だけでなく、独自の設定によって動作する機器も存在する。このような機器から記録済番組に関する情報を収集した場合には、例えば、同一番組が複数の機器によって記録されている場合等もあり、生成された過去番組表が極めて見難くなってしまうことがある。
【先行技術文献】
【特許文献】
【０００７】
【特許文献１】特許第５１３２８１１号
【発明の概要】
【発明が解決しようとする課題】
【０００８】
本発明は、複数の機器からの録画済番組に関する情報を収集し、重複を排除しながら統合することにより、複数の機器による録画済番組に関する過去番組を見やすくすることができるデジタル放送受信装置を提供することを目的とする。
【課題を解決するための手段】
【０００９】
本発明の実施形態に係るデジタル放送受信装置は、デジタル放送から複数のチャンネルの番組を同時に選局する受信部と、前記受信部によって選局された番組を記録媒体に記録すると共に再生する記録再生部と、前記記録再生部によって記録された記録済番組に関する第１の情報と、他機からネットワーク回線を介して転送された他機の記録済番組に関する第２の情報とが与えられ、前記第１及び第２の情報中の重複した情報を削除又は優先順位を付けて統合し、この統合結果に基づいて、自機及び前記他機において記録済の番組に関する統合過去番組表を生成して表示する番組統合部とを具備する。
【図面の簡単な説明】
【００１０】
【図１】本発明の一実施の形態に係るデジタル放送受信装置を示すブロック図。
【図２】図１のデジタル放送受信装置１と同一構成の回路部分を有する機器によって構成されるデジタル放送受信システムを示すブロック図。
【図３】デジタル放送受信システムにおける動作を説明するためのフローチャート。
【図４】統合過去番組表作成フローを示すフローチャート。
【図５】機器２２−１，２２−２の番組データベースの内容を説明するための説明図。
【図６】統合過去番組表を示す説明図。
【図７】再生時における番組データベース統合部１６の制御を示すフローチャート。
【発明を実施するための形態】
【００１１】
以下、図面を参照して本発明の実施形態について詳細に説明する。
【００１２】
図１は本発明の一実施の形態に係るデジタル放送受信装置を示すブロック図である。図２は図１のデジタル放送受信装置１と同一構成の回路部分を有する機器２２−１，２２−２，…（以下、代表して機器２２という）によって構成されるデジタル放送受信システムを示すブロック図である。
【００１３】
図２に示すように、ネットワーク回線２１には複数の機器２２が接続されている。機器２２はデジタル放送受信装置１と同様の構成を有している。即ち、各機器２２は、いずれも録画機能を有しており、記録済番組に関する情報をネットワーク回線２１を介して伝送することができるようになっている。
【００１４】
図１において、デジタル放送受信装置１は複数のチューナ３−１，３−２，…（以下、代表してチューナ３という）を有している。チューナ３は、デジタル放送信号が入力され（図示省略）、入力されたデジタル放送信号の中から所望のチャンネルの放送信号を選局し、選局した信号を各々のデジタル放送の変調方式に対応して復調する。例えば、地上デジタル放送の信号はＯＦＤＭ（Orthogonal Frequency Division Multiplexing）復調処理により、衛星デジタル放送の信号はＰＳＫ（Phase Shift Keying）復調処理により復調され、トランスポートストリーム（ＴＳ）形式の復調信号がＴＳ処理部４に出力される。ＴＳ処理部４は、トランスポートストリームとして多重化されたストリームから映像ストリームや音声ストリームを分離するほか、各種制御情報を分離し、バス８に出力する。
【００１５】
また、トランスポートストリームにスクランブルが施されている場合は、ＴＳ処理部４で分離した番組情報（ＥＣＭ）をＣＡＳ制御部６を介して、カードスロット（カードインターフェースＩ／Ｆ）に装着されたＣＡＳカード（ＩＣカード）２に転送し、スクランブルを解除するためのスクランブル鍵（Ｋｓ）を得る。この場合、ＴＳ処理部４では、このスクランブル鍵（Ｋｓ）でトランスポートストリームのパケットごとに施されたスクランブルを解除してからバス８に出力する。
【００１６】
デスクランブルを解除された放送番組の信号は、バス８を介してＡＶデコード部９及び暗号化処理部１２に出力される。記録再生制御部１１によって記録媒体１５に記録する際には、暗号化処理部１２で、入力された放送番組の信号に対して機器固有の鍵で暗号化処理を行い、この信号を記録媒体１５に記録すると共に、記録媒体１５に記録されている放送番組の信号を暗号化処理部１２で復号化したのちにＡＶデコード部９に出力して再生する。
【００１７】
記録媒体１５は、ＨＤＤ、光ディスクディスクドライブ、ＳＤ（登録商標）カードリーダライタ等によって構成することができ、記録再生制御部１１からの放送番組の信号を記録可能に構成されている。なお、記録媒体１５は、デジタル放送受信装置１に対して接続される外部機器であってもよい。この場合、記録再生制御部１１からの出力は、ＩＥＥＥ１３９４インターフェース又はＨＤＭＩ（登録商標）（High-Definition Multimedia Interface）インターフェースなどを介して、記録媒体１５へ転送されることになる。
【００１８】
本実施の形態においては、複数のチューナ３によって複数チャンネルの番組を同時に受信すると共に、記録再生制御部１１によって、受信した複数のチャンネルの番組を同時に記録媒体１５に記録することができるようになっている。
【００１９】
ＡＶデコード部９は、バス８を介して入力された放送番組の信号をＡＶ情報（映像および音声）にデコードして出力する。デコード出力（映像）は、表示処理部１０を介して、図示しない表示部に出力される。表示処理部１０は、ＯＳＤ（On Screen Display）等によりユーザへの情報を提示するための、ＧＵＩ（Graphical User Interface）機能を備える。このＧＵＩ機能により、各種設定画面等を表示部に表示することもできる。
【００２０】
番組データベース処理部５には、ＴＳ処理部４から番組を取得するための各種データや電子番組ガイド（ＥＰＧ）情報，番組属性情報（番組ジャンル等）等が与えられる。番組データベース処理部５は、これら入力された情報に基づいて番組表（未来番組表）を表示するため画像生成処理を行うことができる。
【００２１】
更に、番組データベース処理部５は、記録再生制御部１１によって記録された番組に関するデータベース（以下、番組データベースという）を生成することができるようになっている。番組データベースは、録画した番組を管理する情報であり、番組タイトルや開始時間、終了時間や番組内容等の詳細情報、さらに上記録画の指定条件やユーザから指定情報（番組の自動消去禁止等）の入力項目などの録画番組に関するメタデータを含む。番組データベースは、録画番組の実際の放送時刻と記録媒体上の記録位置との対応関係の情報を含んでいる。番組データベース処理部５は、番組データベースを記録再生制御部１１を介して記録媒体１５に記録させることができる。
【００２２】
番組データベース処理部５は、番組データベースに基づいて、記録済番組の番組表（過去番組表）を表示するための画像生成処理を行うこともできるようになっている。番組データベース処理部５は、生成した未来番組表及び過去番組表を表示処理部１０に与えて、表示部の表示画面上に、未来番組表及び過去番組表を表示させることもできるようになっている。
【００２３】
ネットワーク処理部１４は、ネットワーク回線２１に接続されており、ネットワーク回線２１に情報を出力すると共に、ネットワーク回線２１上に流れる自機宛の情報を取得することができるようになっている。配信／受信処理部１３は、ネットワーク処理部１４を介して、ＴＳ処理部４からの番組や記録再生制御部１１からの再生番組、番組データベース処理部５において作成された番組データベースをネットワーク回線２１を介して配信すると共に、ネットワーク回線２１を介して転送された番組を受信して、ＡＶデコード部９や記録再生制御部１１に供給して受信番組の視聴や記録を行うことができるようになっている。
【００２４】
本実施の形態においては、ネットワーク回線２１に接続された各機器２２は、番組データベース処理部５と同様の構成によって、番組データベースを生成すると共に、配信／受信処理部１３と同様の構成によって、ネットワーク回線２１を介して番組データベースを送信することができるようになっている。
【００２５】
デジタル放送受信装置１の配信／受信処理部１３は、ネットワーク回線２１を介して他の機器２２からの番組データベースを受信して、番組データベース統合部１６に出力することができるようになっている。
【００２６】
リモコン制御部７は、図示しないリモートコントローラからユーザ操作に基づく操作信号を受信し、受信した操作信号に基づいて、デジタル放送受信装置１の各部を制御する。例えば、リモコン制御部７によって、アップ／ダウンキーやワンタッチキー等によって受信チャンネル番号を指定する操作が行われた場合には、各チューナ３は、リモコン制御部７からの操作信号に応じた選局動作を行う。また、リモコン制御部７は、デジタル放送受信装置１に対して、未来番組表、過去番組表及び後述する統合過去番組表を表示する動作モードを指示することができるようになっている。
【００２７】
番組データベース統合部１６は、統合過去番組表を表示する動作モードが指示されると、ネットワーク回線２１に接続された各機器２２から記録済番組の情報（番組データベース）が与えられ、情報の重複を排除しながら情報を統合して統合番組データベースを生成することができるようになっている。
【００２８】
即ち、番組データベース統合部１６は、自機の番組データベース処理部５から番組データベースが与えられると共に、配信／受信処理部１３を介してネットワーク回線２１上の他の機器２２から番組データベースが与えられる。番組データベース統合部１６は、統合条件に基づいて自機及び各機器２２からの番組データベース中の情報の重複を排除した統合番組データベースを生成する。また、番組データベース統合部１６は、生成した統合番組データベースに基づいて統合過去番組表を生成する。
【００２９】
統合条件は、各機器２２からの番組データベースに重複する情報が含まれる場合に、いずれの情報を排除していずれの情報を残して統合番組データベースを作成すれば良いかを示すものであり、事前にプログラムとして与えられる場合や図示しないメモリに記録された条件を読出して設定される。例えば、統合条件としては、重複を判定する情報の種類や、各機器２２のうちいずれの機器を優先するか等の情報が設定される。例えば、優先する機器として、自機を設定することが考えられる。この場合には、自機と他機との間で重複する情報がある場合には、自機の情報が優先的に統合番組データベースの生成に用いられる。
【００３０】
その他、情報量の多い方を優先するという優先ルールも考えられ、たとえば番組詳細情報の有り／なしや量の多い／少ないなどがこれにあたる。
【００３１】
なお、統合条件は、ユーザ操作によっても設定可能であり、ユーザは各機器２２にそれぞれ優先順位を付けることが可能である。
【００３２】
また、重複を判定する情報の種類として、同一時間帯に放送された同一チャンネル（同一番組）を設定することが考えられる。この場合には、例えば、自機及び他機において、同一時間帯に同一チャンネルの番組が記録されている場合には、当該番組については自機の情報のみによって統合番組データベースが生成される。また、同一番組が地上デジタル放送と衛星デジタル放送の両方で行われている場合もある、この場合には異なる時間帯に放送された同一番組についても、いずれか一方の番組のみを優先して統合番組データベースを生成するようにしてもよい。また、異なる番組であっても、同一放送時間帯の番組の情報を排除するようにしてもよい。
【００３３】
更に、統合条件によって、複数の機器２２からの重複する情報について、残す情報の個数を設定することも可能である。例えば、３つの機器２２によって同一時間帯の同一チャンネルの番組が記録されている場合、これらの３台の機器のうち２台の機器の情報を残して統合番組データベースを生成するようにしてもよい。この場合、情報に優先順位をつけて管理し、仮に１番目の情報がなくなった場合には２番目の情報を１番目として利用できるようにする。また、２台の機器の場合に２台の機器情報を含んでいることは言うまでもない。
【００３４】
番組データベース統合部１６は、生成した統合過去番組表を表示処理部１０に与えることで、図示しない表示部に統合過去番組表を表示させることができる。なお、表示処理部１０は、統合条件を設定するためのメニュー表示を表示させることができ、ユーザはこのメニュー表示を参照しながら統合条件を設定することができるようになっている。
【００３５】
また、ユーザは、画面に表示された統合過去番組表を参照して番組を選択することで、選択した番組の再生指示を行うことができるようになっている。番組データベース統合部１６は、例えばリモコン制御部７から、統合過去番組表中の所定の番組の再生を指示する操作信号が入力された場合には、当該番組に関する情報を統合番組データベースから取得する。再生指示された番組が自機に関するものである場合には、番組データベース統合部１６は自機の記録再生制御部１１を制御して、記録媒体１５から当該番組を再生して表示させる。また、再生指示された番組が他機に関するものである場合には、当該番組を再生するための情報を配信／受信処理部１３に出力する。配信／受信処理部１３は、番組を再生するための情報によって指定された相手先の機器に対して、当該番組を転送する要求を発生する。この番組転送要求に応答して番組が転送されると、配信／受信処理部１３は、転送された番組をＡＶデコード部９に与えて再生を指示することができるようになっている。
【００３６】
次に、このように構成された実施の形態の動作について図３乃至図７を参照して説明する。図３はデジタル放送受信システムにおける動作を説明するためのフローチャートであり、図４は統合過去番組表作成フローを示すフローチャートである。
【００３７】
各機器２２のチューナ３は、ユーザの選局操作に応じたチャンネルの番組を選局する。選局された番組は、各機器２２において、ＴＳ処理部４によって記録再生制御部１１に与えられ、記録再生制御部１１は選局されたチャンネルの番組を記録媒体１５に与えて記録する。また、これらのチャンネルの記録番組に関する番組データベースが番組データベース処理部５によって生成されて、記録媒体１５に記録される。
【００３８】
いま、図２の機器２２−２がＴＶ（テレビジョン受信機）であるものとし、機器２２−１，２２−３がレコーダであるものとして、ネットワーク回線２１上にこれらの３台の機器２２−１〜２２−３が接続されているものとする。また、ユーザがリモートコントローラを制御して、機器２２−２であるＴＶに対して統合過去番組表の表示要求を行うものとする。
【００３９】
図３のステップＳ１において、機器２２−２は所定の定期処理を行う。ステップＳ２において、機器２２−２の配信／受信処理部１３は、ネットワーク回線２１上の各機器２２に対して番組データベースの送信要求を行う。この送信要求は、ネットワーク処理部１４からネットワーク回線２１上の各機器２２に供給される。なお、統合条件として、ネットワーク回線２１上のいずれの機器からの番組データベースを統合するかを指定する条件も含めることができ、機器２２−２の番組データベース統合部１６は、配信／受信処理部１３を制御して、統合条件によって指定された機器にのみ番組データベースの送信要求を発生してもよい。
【００４０】
レコーダである機器２２−１，２２−３は、番組データベースの送信要求を受信すると、各機器２２の配信／受信処理部１３によって、自機の番組データベース処理部５によって生成された番組データベースを、ネットワーク処理部１４を介してネットワーク回線２１に送信する（ステップＳ１１）。
【００４１】
ＴＶである機器２２−２の配信／受信処理部１３は、ステップＳ３において、各機器２２からの番組データベースを受信し、番組データベース統合部１６に与える。ユーザがリモートコントローラによって、統合過去番組表の表示要求を機器２２−２に対して行うと（ステップＳ１５）、番組データベース統合部１６は、自機の番組データベース処理部５によって生成された番組データベースと、ネットワーク回線２１上の各機器から転送された番組データベースとを用いて、統合過去番組表を作成する（ステップＳ４）。
【００４２】
次に、図４を参照して統合過去番組表の生成フローについて説明する。番組データベース統合部１６は、図４のステップＳ２１において、図示しないメモリから統合条件を読出し、上述したステップＳ２（図４のステップＳ２２）において指定された機器２２に送信要求を発生して各機器の番組データベースを取得する。
【００４３】
番組データベース統合部１６は、各番組データベースの情報を比較することで（ステップＳ２３）、統合条件に従って一致しているか否かの情報検索を行う（ステップＳ２４）。一致した番組情報が存在する場合には、当該番組情報については、例えば、１つの番組情報のみを残して他の情報を削除する（ステップＳ２５）。番組データベース統合部１６は、残した番組情報に基づいて統合番組データベースを生成する（ステップＳ２６）。
【００４４】
図５は機器２２−１，２２−２の番組データベースの内容を説明するための説明図である。図５（ａ）は機器２２−２（ＴＶ）の番組データベースを示し、図５（ｂ）は機器２２−１（レコーダ）の番組データベースを示している。図５は斜線によって、録画が行われている番組のチャンネル及び録画時間を示している。図５の例では、機器２２−２（ＴＶ）はチャンネル１０１については１８時〜２１時までの番組を録画し、チャンネル１０２〜１０５については１８時〜２３時までの全ての番組を録画していることを示している。また、図５では、機器２２−１（レコーダ）はチャンネル１０１，１１２〜１１５について１８時〜２３時までの全ての番組を録画していることを示している。
【００４５】
いま、統合条件として、ネットワーク回線２１上の機器２２−１，２２−２の番組データベースを統合することが指定されると共に、同一時間帯の同一チャンネルの番組については自機（機器２２−２）において記録した番組に基づく情報を優先する設定が行われているものとする。
【００４６】
番組データベース統合部１６は、自機の情報を優先するので、機器２２−１，２２−２の両方において録画されている同一時間帯の同一番組については、機器２２−２の番組情報のみを残した統合番組データベースを生成する。即ち、１８時から２１時までのチャンネル１０１の番組については、機器２２−２の情報が採用される。重複しない情報については、両方の番組データベースの情報が残される。
【００４７】
こうして、統合番組データベースが生成される。番組データベース統合部１６は、統合番組データベースに基づいて統合過去番組表を生成し、表示処理部１０に供給する。こうして、表示部の表示画面上に統合過去番組表が表示される（ステップＳ２７）。
【００４８】
統合番組データベースの構成としては、上述のように重複する情報を削除して構築する構成や削除せずに表示用の優先順位をつけて管理する構成のいずれでもよい。
【００４９】
図６は統合過去番組表を示す説明図であり、縦方向に時間、横方向にチャンネルを配置して、１つの枠により１つの番組の番組情報を表示していることを示している（図示省略）。図６は図５（ａ），（ｂ）に対応したものであり、間隔が広い斜線によって機器２２−２の番組データベースに基づく番組情報が表示されていることを示し、間隔が狭い斜線によって機器２２−１の番組データベースに基づく番組情報が表示されていることを示している。
【００５０】
図６の統合過去番組表は、重複する情報は除去されて表示されており、ネットワーク回線２１に接続された各機器２２の録画済番組を見やすい表示によって確認することができる。なお、各番組情報の表示領域がいずれの機器の番組データベースに基づくものであるか、即ち、いずれの機器で録画された番組の情報であるかを示すために、色分け表示等によって区別可能にしてもよく、録画機器名等を番組情報の表示欄に表示するようにしてもよい。
【００５１】
ここで、ユーザが、機器２２−２に対するリモートコントローラの操作によって、統合過去番組表を参照して番組の再生を指示するものとする（ステップＳ１６）。番組データベース統合部１６は、リモコン制御部７からの操作信号に基づいて、番組を再生するための情報を出力する。
【００５２】
図３はユーザが再生指示した番組が機器２２−１（レコーダ）に記録されているものとした場合のフローを示しており、機器２２−２からの番組再生要求は、ネットワーク回線２１によって機器２２−１に伝送される。機器２２−１の配信／受信処理部１３は、自機の記録再生制御部１１を制御して、記録媒体１５から指定された番組を再生し、番組のデータをネットワーク回線２１を介して機器２２−２に伝送する（ステップＳ１２）。機器２２−２（ＴＶ）は機器２２−１（レコーダ）からの番組のデータを受信して、再生を行う（ステップＳ７）。
【００５３】
図７は再生時における番組データベース統合部１６の制御を示すフローチャートである。
【００５４】
統合過去番組表を参照したユーザによる番組再生指示が発生すると、番組データベース統合部１６は、ステップＳ３１から処理をステップＳ３２に移行して、ユーザが再生指示した番組の記録場所を判定する。例えば、ユーザが図６のチャンネル１０１の１８時から１９時に放送された番組の再生を指示するものとする。番組データベース統合部１６は、統合番組データベースを参照することで、ユーザが再生指示した番組の記録場所が自機であるものと判定する。この場合には、番組データベース統合部１６は、統合番組データベースを参照して、番組を特定するための情報を記録再生制御部１１に出力する。記録再生制御部１１は記録媒体１５から指定された番組を読出してＡＶデコード部９を介して表示処理部１０に与える。こうして、ユーザによって指定された番組の再生が行われる（ステップＳ３３）。番組の再生が終了すると（ステップＳ３４）、再生処理を終了する。
【００５５】
このように、１８時から１９時に放送されたチャンネル１０１の番組については、自機（機器２２−２）及び他機（機器２２−１）において録画されているが、ユーザはいずれの機器から再生すればよいかを選択する必要は無く、統合条件によって優先的に選択された機器から再生が行われる。
【００５６】
また、例えば、ユーザが図６のチャンネル１０１の２１時から２２時に放送された番組の再生を指示するものとする。この場合には、番組データベース統合部１６は、統合番組データベースを参照することで、再生指示された番組が機器２２−１（レコーダ）に記録された番組であることを判定する。この場合には、番組データベース統合部１６は、処理をステップＳ３５に移行して、番組を特定するための情報及び番組再生のための転送指示の情報を配信／受信処理部１３からネットワーク処理部１４を介してネットワーク回線２１に送信させる。例えば、番組データベース統合部１６はＤＬＮＡ（Digital Living Network Alliance）に従った再生指示を行う。
【００５７】
機器２２−１の配信／受信処理部１３は、ネットワーク回線２１を介して指定された番組についての転送を記録再生制御部１１及びネットワーク処理部１４に指示する。記録再生制御部１１は、記録媒体１５から指定された番組を読出してネットワーク処理部１４に出力し、ネットワーク処理部１４は、番組のデータをネットワーク回線２１を介して機器２２−２に転送する。機器２２−２の配信／受信処理部１３は、ネットワーク処理部１４を介して転送された番組のデータを受信し、ＡＶデコード部９を介して表示処理部１０に与える。こうして、ユーザによって指定された番組の転送が機器２２−１に指示され、機器２２−２においてこの番組の再生表示が行われる（ステップＳ３５）。番組の再生が終了すると（ステップＳ３６）、再生処理を終了する。
【００５８】
このように本実施の形態においては、ネットワーク回線上に複数の録画機器が存在し、例えば同一番組について重複する録画が行われている場合でも、統合条件に従って重複を排除しながら統合番組データベースを生成し、生成した統合番組データベースに従って統合過去番組表を生成しており、見やすい統合過去番組表をユーザに提示することができる。
【００５９】
なお、上記実施の形態においては、番組データベース統合部によって各機器から番組データベースを収集し、統合条件に従って収集した番組データベースを統合することで、重複を排除又は優先順位を割当てた統合過去番組表を生成する例を説明したが、各機器の記録済番組に関する情報を収集できれば、必ずしも番組データベースを作成、収集する必要はない。例えば、１番組１ファイルとして番組を記録すると共に、番組表を生成するのに必要なデータを各ファイルにメタデータとして記録し、このメタデータを収集することで、統合過去番組表を生成するようにしてもよい。このようなメタデータとしては、チャンネル、放送日時、番組タイトル等の情報を有していればよい。
【００６０】
本発明は、上記実施形態に限定されるものではなく、実施段階ではその要旨を逸脱しない範囲で種々に変形することが可能である。また、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００６１】
４…ＴＳ処理部、５…番組データベース処理部、７…リモコン制御部、９…ＡＶデコード部、１０…表示処理部、１１…記録再生制御部、１５…記録媒体、１６…番組データベース統合部。
【図１】
2015126403.tif 000003
【図２】
2015126403.tif 000004
【図３】
2015126403.tif 000005
【図４】
2015126403.tif 000006
【図５】
2015126403.tif 000007
【図６】
2015126403.tif 000008
【図７】
2015126403.tif 000009